(57)【特許請求の範囲】
【請求項１】
被記録材の搬送経路の上流側に設けられ、傾斜姿勢で堆積保持されている被記録材を下流側へと１枚ずつ給送する給紙装置と、該給紙装置の下流側に設けられ、給送された被記録材に記録を行う記録部と、被記録材を搬送する搬送ローラと、を備えた記録装置であって、
前記給紙装置によって給送不可能な剛性記録材を、略水平な被記録材載置面上から前記記録部へ前記被記録材載置面に沿って給送し、且つ、前記記録部から前記被記録材載置面上へ該被記録材載置面に沿って排出する直線的な、被記録材の給排出経路を形成可能な第１ポジションと、前記給紙装置によって給送可能な被記録材が排出され、この被記録材をスタックする、前記第１ポジションより低く位置し、被記録材載置面が傾斜状態となる第２ポジションと、をとり得る被記録材トレーと、
第１ポジションと第２ポジションとで前記被記録材トレーと係合可能なハウジングとを備え、
前記被記録材トレーは、上面が被記録材載置面をなし、移動用溝を介して全体として上下に移動可能なトレー基部と、
被記録材載置面上を被記録材幅方向にスライド移動し、前記幅方向における外方である側方に向かって突出して前記被記録材トレーの前記第２ポジションにおいてのみハウジング側の被係合部と係合する係合部を有し、前記側方への突出方向と反対方向に移動して前記係合部の前記係合が解かれ前記被記録材トレーが前記第１ポジションにあるときに前記剛性記録材の前記被記録材載置面に沿う前記給送及び排出の際に当該被記録材の側辺であるエッジを給送方向にガイドするエッジガイドとを備えていることを特徴とする記録装置。
【請求項２】
請求項１において、前記トレー基部は、側方に向かって突出した基部用固定軸を備え、該基部用固定軸は前記ハウジング側の移動用溝と係合可能に構成されていることを特徴とする記録装置。
【請求項３】
請求項１または請求項２において、前記エッジガイドは、前記被記録材トレーが第２ポジションにあるときは、排出される被記録材の進行経路より外側の位置までスライド可能に構成されていることを特徴とする記録装置。
【請求項４】
請求項１から請求項３のいずれか一項において、被記録材載置面の側端には、前記エッジガイドを収納可能なエッジガイド収納部を備えた側端ガイドが形成されていることを特徴とする記録装置
【請求項５】
請求項４において、前記側端ガイドの上面と、前記エッジガイドの上面とが面一に構成されていることを特徴とする記録装置。
【請求項６】
請求項１から請求項５のいずれか一項において、前記移動用溝は、側面視略くの字型に形成されていることを特徴とする記録装置。
【請求項７】
請求項１から請求項６のいずれか一項において、前記被記録材トレーは、後方に向かって突出する角度規制部が設けられ、
該角度規制部の対向した位置の前記ハウジングに設けられた当接部と係合することにより、第２ポジションにおける被記録材載置面の傾斜角度を設定することができるように構成されていることを特徴とする記録装置。
【請求項８】
請求項７において、前記角度規制部は、前記エッジガイドに備えられていることを特徴とする記録装置。
【請求項９】
請求項１から請求項８のいずれか一項において、第１ポジションにおいて、前記ハウジングは、前記被記録材トレーをその位置に係止する係止手段を備えていることを特徴とする記録装置。
【請求項１０】
請求項１から請求項９のいずれか一項において、前記被記録材トレーのポジションを変位させる際に、該被記録材トレーの上流側をガイドするガイド部材が設けられていることを特徴とする記録装置。
【請求項１１】
請求項１から請求項１０のいずれか一項において、前記被記録材トレーは上方に回動し、被記録材載置面が略垂直状態となる第３ポジションをとり得る構成であることを特徴とする記録装置。
【請求項１２】
請求項１から請求項１１のいずれか一項に記載されている被記録材トレー。
【発明の詳細な説明】
【０００１】
【発明の属する技術分野】
本発明は、被記録材に記録を行う記録装置に係り、より詳しくは、被記録材を掲載する被記録材トレーに特徴を有する記録装置に関する。
【０００２】
【従来の技術】
記録装置の１つとしてインクジェットプリンタ（以下「プリンタ」という）がある。該プリンタは、その後方側に、傾斜姿勢で堆積保持されている被記録材を下流側へと１枚ずつ給送する給紙装置と、該給紙装置の下流側に設けられ、給送された被記録材に記録を行う記録部と、被記録材を搬送する搬送ローラと、を備えている。
【０００３】
そして、該プリンタは、前記給紙装置を使用して、被記録材としての用紙を湾曲させながら前方側へ給送し、前方側から略水平に排出する第１の給紙経路と、このような湾曲した給紙経路を利用できない剛性記録材をプリンタの前面から略水平に給送し、そして再びプリンタの前面から略水平に排出する第２の給紙経路とを備えている。
【０００４】
このようなプリンタなどの記録装置としては、例えば、実用新案登録第２５７３６５６号公報に記載された印字装置を挙げることができる。この印字装置の紙受けは、支持受け部材が給排紙ローラと同じ高さとなる状態と、紙受け部材が排紙受け面とほぼ同じ高さになる状態とを、切り換えてとることができるように構成されている。
【０００５】
【発明が解決しようとする課題】
しかし、上記印字装置においては、紙受け部材がとり得る状態を保持する手段が存在しないため、印字中の振動や、ちょっとした力が該紙受け部材に加わることによって、とり得る状態が変位してしまうことがあった。また、該紙受け部材を支持する支持フレームは、印字装置本体に固設されており、その動かし易さ、および設計上の自由度が低くなっていた。
【０００６】
そこで本発明は、このような問題に鑑みなされたものであって、その課題は、被記録材の給送と排出を円滑に行い、かつ、被記録材トレーがとり得る状態を安定して保持することが可能な記録装置を提供することにある。
【０００７】
【課題を解決するための手段】
上記課題を解決するため、請求項１に記載の記録装置の発明は、被記録材の搬送経路の上流側に設けられ、傾斜姿勢で堆積保持されている被記録材を下流側へと１枚ずつ給送する給紙装置と、該給紙装置の下流側に設けられ、給送された被記録材に記録を行う記録部と、被記録材を搬送する搬送ローラと、を備えた記録装置であって、前記給紙装置によって給送不可能な剛性記録材を、略水平な被記録材載置面上から前記記録部へ前記被記録材載置面に沿って給送し、且つ、前記記録部から前記被記録材載置面上へ該被記録材載置面に沿って排出する直線的な、被記録材の給排出経路を形成可能な第１ポジションと、前記給紙装置によって給送可能な被記録材が排出され、この被記録材をスタックする、前記第１ポジションより低く位置し、被記録材載置面が傾斜状態となる第２ポジションと、をとり得る被記録材トレーと、第１ポジションと第２ポジションとで前記被記録材トレーと係合可能なハウジングとを備え、前記被記録材トレーは、上面が被記録材載置面をなし、移動用溝を介して全体として上下に移動可能なトレー基部と、被記録材載置面上を被記録材幅方向にスライド移動し、前記幅方向における外方である側方に向かって突出して前記被記録材トレーの前記第２ポジションにおいてのみハウジング側の被係合部と係合する係合部を有し、前記側方への突出方向と反対方向に移動して前記係合部の前記係合が解かれ前記被記録材トレーが前記第１ポジションにあるときに前記剛性記録材の前記被記録材載置面に沿う前記給送及び排出の際に当該被記録材の側辺であるエッジを給送方向にガイドするエッジガイドとを備えていることを特徴とする。
【０００８】
この特徴によれば、ユーザーがエッジガイドを操作することにより、被記録材トレーのとり得るポジションを変位させることができる。すなわち、該係合部は、第２ポジションにおいてのみ、ハウジング側の被係合部と係合可能となるように構成されているため、該エッジガイドの係合部を被係合部と係合させることにより、被記録材トレーを第２ポジションに位置させることができる。
【０００９】
そして、被係合部と係合している係合部を、エッジガイドをトレー基部の中央側に向けてスライドさせることによって、その係合を解除させると、被記録材トレーとハウジングとの係合は、移動用溝を介した状態となる。この状態において、被記録材トレーを移動用溝に沿って移動させることにより、第１ポジションへと移し替えることができる。
すなわち、被記録材トレーがとり得る、第１ポジションおよび第２ポジションとを、エッジガイドを操作することにより、自由に移し替えることが可能である。
【００１０】
また、請求項２に記載の記録装置の発明は、請求項１において、前記トレー基部は、側方に向かって突出した基部用固定軸を備え、該基部用固定軸は前記ハウジング側の移動用溝と係合可能に構成されていることを特徴とする。
【００１１】
この特徴によれば、被記録材トレーのトレー基部に、側方に向かって突出した基部用固定軸を備え、該基部用固定軸と係合する移動用溝がハウジング側に設けられているため、被記録材トレーのとり得る状態を、側面側から基部用固定軸を確認することにより容易に認識することができ、該被記録材トレーがとり得る状態を誤認することがない。また、被記録材トレーおよびハウジングの設計、製造が容易である。
【００１２】
また、請求項３に記載の記録装置の発明は、請求項１または請求項２において、前記エッジガイドは、前記被記録材トレーが第２ポジションにあるときは、排出される被記録材の進行経路より外側の位置までスライド可能に構成されていることを特徴とする。
【００１３】
この特徴によれば、エッジガイドは、非使用時において、排出される被記録材の進行経路より外側の位置までスライド可能に構成されているため、例えば、被記録材トレーが第２ポジションに位置する際において、排出される被記録材が、被記録材トレーの被記録材載置面にスタックされることを、なんら妨げることがない。
【００１４】
また、請求項４に記載の記録装置の発明は、請求項１から請求項３のいずれか一項において、被記録材載置面の側端には、前記エッジガイドを収納可能なエッジガイド収納部を備えた側端ガイドが形成されていることを特徴とする。
【００１５】
この特徴によれば、被記録材載置面の側端には、前記エッジガイドを収納可能なエッジガイド収納部を備えた側端ガイドが形成されているため、被記録材載置面上にある被記録材の崩れを規制することできると共に、エッジガイドを、当該エッジガイド収納部に収納することによって、被記録材載置面を広く確保することが可能である。また、第２ポジションに位置する際には、エッジガイドが当該エッジガイド収納部に収納されることにより、排出される被記録材のスタックをなんら妨げることがない。
【００１６】
また、請求項５に記載の記録装置の発明は、請求項４において、前記側端ガイドの上面と、前記エッジガイドの上面とが面一に構成されていることを特徴とする。この特徴によれば、側端ガイドのエッジガイド収納部に、エッジガイドを収納した際に、それらの上面が面一となっているため、その構造がなめらかである。
【００１７】
また、請求項６に記載の記録装置の発明は、請求項１から請求項５のいずれか一項において、前記移動用溝は、側面視略くの字型に形成されていることを特徴とする。
【００１８】
この特徴によれば、前記移動用溝は、側面視略くの字型に形成されているため、エッジガイドの係合突起とハウジングの突起用穴との係合が解除されている状態では、被記録材トレーを、該移動用溝に沿って、移動させることができる。すなわち、被記録材トレーを、くの字型の移動用溝に沿って上方に移動させることにより、第１ポジションをとることができ、また、この移動用溝に沿って下方に移動させることにより、第２ポジションをとることが可能である。つまり、ユーザーが、被記録材に応じて、この移動用溝に沿って被記録材トレーを移動させて、ポジションを容易に変位させることができる。
【００１９】
また、第１ポジションでは、第２ポジションと比し、被記録材トレーが全体として搬送ローラ側に近づく必要があり、一方、第２ポジションでは、第１ポジションと比し、被記録材トレーが全体として搬送ローラから離れる必要があるが、本発明の如く、移動用溝が側面視略「く」の字型であると、これらの要件を充分に満たし、被記録材トレーとハウジングとの不必要な接触を生じることがない。
【００２０】
また、請求項７に記載の記録装置の発明は、請求項１から請求項６のいずれか一項において、前記被記録材トレーは、後方に向かって突出する角度規制部が設けられ、該角度規制部の対向した位置の前記ハウジングに設けられた当接部と係合することにより、第２ポジションにおける被記録材載置面の傾斜角度を設定することができるように構成されていることを特徴とする。
【００２１】
この特徴によれば、角度規制部と当接部とが係合することにより、第２ポジションにおいて、被記録材トレーが所定の位置に固定されて、被記録材載置面が規定された傾斜角度をとることができる。すなわち、被記録材トレーの被記録材載置面を、記録部側から排出される被記録材を下に落としたり、他の構成部材に引っかかったりすることなく、確実に、スタックする傾斜角度に設定することが可能である。また、第２ポジションを安定した状態として維持することができる。
【００２２】
また、請求項８に記載の記録装置の発明は、請求項７において、前記角度規制部は、前記エッジガイドに備えられていることを特徴とする。
この特徴によれば、角度規制部は、前記エッジガイドが備えているため、当該エッジガイドの形成の際に、当該角度規制部をも形成することが可能であり、その設計、製造が簡易である。
【００２３】
また、請求項９に記載の記録装置の発明は、請求項１から請求項８のいずれか一項において、第１ポジションにおいて、前記ハウジングは、前記被記録材トレーをその位置に係止する係止手段を備えていることを特徴とする。
【００２４】
この特徴によれば、第１ポジションにおいて、前記被記録材トレーをその位置に係止する係止手段を備えているため、不用意に位置ずれせず、安定した状態として第１ポジションを保持することができる。
【００２５】
また、請求項１０に記載の記録装置の発明は、請求項１から請求項９のいずれか一項において、前記被記録材トレーのポジションを変位させる際に、該被記録材トレーの上流側をガイドするガイド部材が設けられていることを特徴とする。
【００２６】
この特徴によれば、前記被記録材トレーのポジションを変位させる際に、該被記録材トレーの上流側をガイドするガイド部材が設けられているため、被記録材トレーのポジションの変位を確実に、かつ容易に実行することができる。
【００２７】
また、請求項１１に記載の記録装置の発明は、請求項１から請求項１０のいずれか一項において、前記被記録材トレーは上方に回動し、被記録材載置面が略垂直状態となる第３ポジションをとり得る構成であることを特徴とする。
【００２８】
この特徴によれば、前記被記録材トレーは上方に回動し、被記録材載置面が略垂直状態となる第３ポジションをとり得る構成であるため、例えば、当該記録装置の非使用時において、当該被記録材トレーを第３ポジションに位置させることにより、記録装置全体としての載置面積を減少させることができ、また、何らかの原因で被記録材トレーに外力が加わることによる、破損等の不都合を生じる虞を減らすことができる。
【００２９】
また、請求項１２に記載の被記録材トレーの発明は、請求項１から請求項１１のいずれか一項に記載されている被記録材トレーである。この特徴によれば、請求項１から請求項１１のいずれか一項に記載の作用効果と同様の効果を得ることができる。
【００３０】
【発明の実施の形態】
以下、本発明の一実施形態について図面を参照しつつ説明する。
まず、本実施形態における記録装置としてのインクジェットプリンタ（以下「プリンタ」という）１００の構成について説明する。ここで、図１は、本実施形態のプリンタ１００の概略斜視図であり、図２は、同プリンタ１００の側断面図であって、第１の給紙経路▲１▼を使用した状態であり、図３は、同プリンタ１００の側断面図であって、第２の給紙経路▲２▼を使用した状態である。
【００３１】
なお、ここでは、給紙装置２を用いて湾曲姿勢で給紙可能な被記録材を「用紙Ｐ」と、湾曲姿勢で給排紙不可能な被記録材を「剛性記録材Ｇ」とし、さらに、これらを合わせて「被記録材」とする場合がある。
【００３２】
プリンタ１００は、後方側に給紙装置２を備え、該給紙装置２によって用紙Ｐを傾斜姿勢で堆積保持し、１枚ずつ給紙ローラ１４によって湾曲させながら前方側へ給送し、前方側から略水平に排出する第１の給紙経路▲１▼と、このような湾曲した給紙経路を利用できない剛性記録材Ｇをプリンタ１００の前面から略水平に給送し、そして再びプリンタ１００の前面から略水平に排出する第２の給紙経路▲２▼とを備えている。
【００３３】
以下では、第１の給紙経路▲１▼を使用した給紙動作について、図２を参照しつつ説明する。
プリンタ１００は、前述したように、装置本体３の後方側（上流側、図３において右手側）に給紙装置２を、前方側（下流側、図３において左手側）に被記録材トレー９０を備え、用紙Ｐを給紙装置２によって後方側から給送し、前方側の被記録材排出口６から被記録材トレー９０に向けて排出する構成をとっている。
【００３４】
給紙装置２は、ホッパ１６を備え、該ホッパ１６に用紙Ｐを傾斜姿勢で複数枚堆積保持している。ホッパ１６は、その上流側に回動支点（図示せず）を備え、該回動支点を中心に回動することにより、側面視略Ｄ形の給紙ローラ１４に向けて離間及び圧接動作を行うことができるように構成されている。堆積保持されている用紙Ｐは、ホッパ１６の給紙ローラ１４に向けての圧接動作によって押し上げられ、用紙Ｐの最上位のものが給紙ローラ１４と圧接する。この状態において、給紙ローラ１４が回動することにより該用紙Ｐが下流側へと給紙されるようになっている。
【００３５】
給紙ローラ１４から下流の下方には、板状体の用紙ガイド１５がほぼ水平に設けられ、給紙装置２から給紙された用紙Ｐの先端が該用紙ガイド１５に当接し、なめらかに、湾曲されて下流側へと案内される。
【００３６】
用紙ガイド１５より下流には図示しない駆動手段によって回転駆動する搬送駆動ローラ１９ａと、該搬送駆動ローラ１９ａに当接して従動回転する搬送従動ローラ１９ｂとから構成されている搬送ローラ１９が配設されており、用紙Ｐは、該搬送ローラ１９によって狭圧されて、下流側に搬送されるようになっている。
【００３７】
搬送従動ローラ１９ｂは、搬送従動ローラホルダ１８の下流側において軸支され、当該搬送従動ローラホルダ１８は、回動軸１８ａを中心に回動可能に設けられ、かつ、ねじりコイルバネ（図示せず）によって、搬送従動ローラ１９ｂが常に搬送駆動ローラ１９ａに圧接する方向に回動付勢されている。
【００３８】
さらに下流側には、用紙に記録を行う記録部２６が構成されている。該記録部２６は、プラテン２８及び記録ヘッド部１３が、上下に対向するように配設されている。該プラテン２８は、主走査方向に長く構成されており、記録部２６に搬送されてきた用紙を下側から支持することができるようになっている。記録ヘッド部１３は、キャリッジ１０の底部に設けられ、該キャリッジ１０は主走査方向に延びるキャリッジガイド軸１２によってガイドされながら主走査方向に往復移動することができる。また、キャリッジ１０は、例えばイエロー、マゼンダ、シアン、ブラック等のインクカートリッジ１１を備えており、フルカラー印刷を実行することができるように構成されている。
【００３９】
記録部２６より下流側はプリンタ１００の排紙部となっていて、図示しない駆動手段によって回転駆動される排紙駆動ローラと２０ａと、該排紙駆動ローラ２０ａに軽く圧接することによって従動回転する排紙従動ローラ２０ｂとからなる排紙ローラ２０を備えている。そして、記録部２６で印刷が行われた用紙Ｐは、排紙ローラ２０に狭圧されつつ、排紙駆動ローラ２０ａが回転（正転）することにより排出される。
【００４０】
排紙従動ローラ２０ｂは、その外周に複数の歯を有する歯付きローラであり、排紙従動ローラホルダ２３によって自由回転可能に軸支されている。該排紙従動ローラホルダ２３は、主走査方向に長い板状体からなり、用紙Ｐの排紙経路を側視して記録ヘッド部１３の下流近傍から下流に向かって略水平に延びる排紙従フレーム２５に固設されている。そして、該排紙従フレーム２５は同様に主走査方向に長く、かつ記録ヘッド部１３の下流近傍から下流に向かって略水平に延びる板状体からなる排紙主フレーム２４に、コイルバネ２７によって上から圧接するような状態で取り付けられている。
【００４１】
排紙従動ローラ２０ｂの上流には排紙補助ローラ２２が設けられ、用紙Ｐは、該排紙補助ローラ２２によってやや下方に押しつけられるようになっている。また、搬送従動ローラ１９ｂは、搬送駆動ローラ１９ａよりその軸芯位置がやや下流側に配設されていて、更に、排紙従動ローラ２０ｂは、排紙駆動ローラ２０ａよりその軸芯位置がやや上流側に配設されている。このような構成によって、用紙Ｐは、搬送ローラ１９と排紙ローラ２０との間において、僅かに下に凸となる湾曲状態となり、記録ヘッド部１３に対向する位置にある用紙Ｐはプラテン２８に押しつけられ、これにより用紙Ｐの浮き上がりが防止され、正常に印刷が実行されるようになっている。
【００４２】
なお、排紙補助ローラ２２は、排紙従動ローラ２０ｂと同様に歯付きローラから構成されており、排紙補助ローラホルダ２１に軸支されている。また、該排紙補助ローラホルダ２１は、前述した排紙従動ローラホルダ２３と同様に排紙従フレーム２５に固設されている。
【００４３】
排紙補助ローラ２２の上流側であって、記録ヘッド部１３の下流近傍には、規制ローラ２９が配置されている。該規制ローラ２９は、排紙従動ローラ２０ｂ及び排紙補助ローラ２２と同様に歯付きローラから構成されており、記録ヘッド部１３近傍において用紙Ｐの浮き上がりを規制する役割を果たしている。すなわち、記録ヘッド部１３からインクが用紙Ｐに向けて吐出され、該インクが用紙Ｐに吸収されることによって用紙Ｐが主走査方向に波打つ現象が発生するが、このような現象が記録ヘッド部１３の近傍で発生すると、用紙Ｐの印刷面が記録ヘッド部１３に接触し、いわゆるヘッドこすれを生じることがある。従って、規制ローラ２９によって、用紙Ｐが浮き上がることを規制し、前述のヘッドこすれを防止するようになっている。
【００４４】
そして、印刷の行われた用紙Ｐは、搬送ローラ２０を正転させることによって排出され、後述する第２ポジションに位置する被記録材トレー９０の被記録材載置面３３上にスタックするようになっている。
以上がプリンタ１００における第１の給紙経路▲１▼における全体概略である。
【００４５】
また、第２の給紙経路▲２▼を使用した場合についても、図３を参照しつつ概説する。
まず、剛性記録材Ｇをプリンタ前面側から記録部２６に向けて、略水平に真っ直ぐに給送し、且つ、記録部２６から真っ直ぐに排出する直線的な、被記録材の給排出経路である第２の給送経路▲２▼を形成させるため、後述するように被記録材トレー９０を、第１ポジションに位置させる。
【００４６】
すなわち、上述した第１の給送経路▲１▼を使用した際には、プリンタ前面側は用紙Ｐが排出され、被記録材排出口６が構成されていたが、第２の給送経路▲２▼を形成させた際には、プリンタ前面側は、剛性記録材Ｇを給送し、且つ排出する被記録材給排出口６を構成することとなる。
【００４７】
そして、第１ポジションに位置する被記録材トレー９０の被記録材載置面３３上に剛性記録材Ｇを保持して、搬送ローラ２０を逆転回転させる。これにより、剛性記録材Ｇは上述した記録部２６へと給送されて、印刷が行われるものである。そして、印刷をし終わった後に、搬送ローラ２０が正転して、再び被記録材載置面３３上に排出される。
【００４８】
排紙従フレーム２５は、上流側端部を回動支点として回動可能になっていて、回動することによって下流側が排紙主フレーム２４から浮き上がり、これによって、排紙従フレーム２５に設けられた排紙従動ローラ２０ｂと、排紙補助ローラ２２と、規制ローラ２９とが上方に退避するように構成されている。
【００４９】
このような構成により、剛性記録材Ｇが搬送ローラ２０に圧接された際には、排紙従動ローラ２０ｂ、排紙補助ローラ２２、及び規制ローラ２９が上方に退避して、剛性記録材Ｇが厚みのあるもの、例えばＣＤ等であっても、これらのローラに設けられている歯によって、該剛性記録材Ｇに不具合を生じることがないようになっている。
【００５０】
すなわち、剛性記録材Ｇは、厚みを有している被記録材であり、この剛性記録材Ｇの上面に、排紙従動ローラ２０ｂと、排紙補助ローラ２２と、規制ローラ２９とが点接触する。このとき、該剛性記録材ＧがＣＤであると、該ＣＤの印刷面の下側に形成されている記録面に作用して、データを破壊する虞がある。しかし、上述したように、排紙従動ローラ２０ｂと、排紙補助ローラ２２と、規制ローラ２９とが上方に退避可能に構成されているため、このような不具合を生じることがない。
【００５１】
なお、剛性記録材Ｇは剛性であるため、上述した用紙Ｐと異なり、搬送ローラ１９と排紙ローラ２０との間において、僅かに下に凸となる湾曲状態となることはない。
【００５２】
次に、図４から図１１を参照しつつ、被記録材トレー９０およびハウジング５０の構成と作用効果について説明する。ここで、図４から図６は、第１ポジションにおける図面であって、詳しくは、図４は、被記録材トレーおよびハウジングの斜め上側から視た要部斜視図であり、図５は、図４と異なる斜め上方から視た要部斜視図であり、図６は、下側から視た要部斜視図である。また、図７および図８は、第２ポジションにおける図面であって、詳しくは、図７は、図４と同じ斜め上側から視た要部斜視図であり、図８は、図５と同じ上側から視た要部斜視図である。
そして、図９は、ハウジングの要部斜視図であり、図１０は、エッジガイドの拡大斜視図であり、図１１は、被記録材トレーの一部部材を省略した要部斜視図である。
【００５３】
まず、被記録材トレー９０、および該被記録材トレー９０と係合するハウジング５０について説明する。被記録材トレー９０は、その上面が被記録材載置面３３となるトレー基部３１と、該トレー基部３１の上流側の側面に突出して、ハウジング５０側の移動用溝５１と係合可能な基部用固定軸３２を有している。さらに、被記録材載置面３３上を被記録材幅方向に移動可能に構成されていて、側方に向かって突出して、後述する第２ポジションにおいてのみハウジング５０側の被係合部としての突起用穴５２と係合する、係合部としての係合突起４１を有するエッジガイド４０とを備えている。
【００５４】
また、被記録材載置面３３の側端には、側端ガイド３４が形成されていて、後述する各ポジションにおいて、被記録材の側端を適宜ガイドし、またはスタックした被記録材の崩れを規制することができるようになっている。そして、エッジガイド４０の配設箇所には、エッジガイド収納部３５が形成されており、非使用時には、エッジガイド４０を収納して、被記録材の搬送を妨げることがないように構成されている。すなわち、当該側端ガイド３４およびエッジガイド収納部３５に収納した状態のエッジガイド４０は、被記録材の進行経路より外側に位置することにより、被記録材の進行を邪魔することがない。なお、該側端ガイド３４の上面と、該エッジガイド４０の上面とが、面一となるように構成されている。
【００５５】
ハウジング５０は、被記録材トレー９０の側端と対向する箇所に、基部用固定軸３２と係合する移動用溝５１が形成されている。該移動用溝５１は、側面視略「く」の字型に形成されており、基部用固定軸３２がこの溝に沿って、移動することができるようになっている。このような構成により、被記録材トレー９０の位置を変位させて、後述する各ポジションをとることができるようになっている。
【００５６】
ここで、被記録材トレー９０のとり得るポジションについて説明する。ここでは説明の便宜上、被記録材載置面３３が傾斜状態となる、第２ポジションについて説明し、その後ポジションを変位させて、第１ポジションについて説明する。
【００５７】
図７および図８は、被記録材トレー９０が第２ポジションに位置する状態を示している。この第２ポジションは、上述した給紙装置２を用いて、第１の給紙経路▲１▼を使用して、用紙Ｐを給送し、その後記録部２６で記録が行われた用紙Ｐを、スタックする排紙トレーとしての機能を発現可能な状態である。
【００５８】
この第２ポジションにおいては、被記録材トレー９０の上流側、すなわち排紙ローラ２０側が下方に位置することにより、被記録材載置面３３が傾斜姿勢となるようになっている。より具体的には、基部用固定軸３２が、移動用溝５１を第２ポジションにおける位置８に位置するまで、下方に移動する。そして、エッジガイド４０が、エッジガイド収納部３５に収納されることにより、エッジガイド４０の係合突起４１がトレー基部３１から突出して、突起用穴５２にはめ込まれて、被記録材トレー９０の位置が固定される。
【００５９】
また、本実施形態では、エッジガイド４０の後方側に設けられている角度規制部４２が、当接部５３と係合することにより、被記録材載置面３３の傾斜角度を所定の角度に設定して、その角度で保持することができるようになっている。本実施形態では、第２ポジションにおいて、被記録材載置面３３の傾斜角度が１０度となるように構成されている。
【００６０】
次に、第２ポジションから第１ポジションに変位させる手順について説明する。まず、エッジガイド４０を、トレー基部３１の中央側にスライドさせて、係合突起４１と突起用穴５２との係合を解除し、該係合突起４１をトレー基部３１内に収納する。この状態、すなわち係合突起４１がトレー基部３１から突出していない状態においては、被記録材トレー９０は、基部用固定軸３２が移動用溝５１に係合しているのみであるので、被記録材トレー９０の位置を自由に変位させることができる。
【００６１】
そして、トレー基部３１を前方（下流側）に引きつつ、該基部用固定軸３２を移動用溝５１に沿って上方に移動させて、位置７に位置させる。この際、被記録材トレー９０の上流側の対向する位置に形成されているガイド部材としてのガイド板５５によって、被記録材トレー９０の上流側がガイドされ、被記録材トレー９０が第１ポジションまで移動し易くなっている。
【００６２】
また、基部用固定軸３２が位置７に位置することにより、被記録材トレー９０をその位置に係止する係止手段としての係止部５４が、トレー基部３１を下から支えて、第２ポジションの状態を安定なものとすることができるようになっている。なお、トレー基部３１の所定の箇所に係止部５４の一部が係合するように、例えば、トレー基部に凹部を設けておき、該凹部に係止部５４の凸部が係合するように、形成することもできる。
【００６３】
さらに、第１ポジションから第２ポジションに移し替える手順についても概説する。被記録材トレー９０を上方に持ち上げることにより、トレー基部３１と係止部５４との係合状態を解除する。この状態において、被記録材トレー９０を、移動用溝５１に沿って下方に移動させる。さらに、該被記録材トレー９０を、角度規制部４２が、当接部５３と係合するまで移動させつつ、傾け、これらが係合したらエッジガイド４０を外側にスライドさせて、該エッジガイド４０の係合突起４１を突起用穴５２にはめ込めて、位置を固定する。
【００６４】
上述したように、被記録材トレー９０がとり得る、第１ポジションおよび第２ポジションとを、エッジガイド４０を操作することにより、自由に移し替えることが可能である。
【００６５】
なお、当該被記録材トレー９０は、基部用固定軸３２を回動中心にして、上方に回動させることにより、被記録材載置面３３が略垂直状態となる、第３ポジションをとることも可能である。すなわち、図１において、被記録材トレー９０の装置本体３側に配設されている基部用固定軸３２を中心に、被記録材トレー９０を装置本体３側に回動させて、被記録材載置面３３が略垂直となる状態である。この第３ポジションに位置する際においては、例えば、プリンタ１００の非使用時に、当該プリンタ１００の載置面積を減少させることできるとともに、該被記録材トレー９０は、いわゆる収納状態であるから、何らかの原因で被記録材トレー９０に外力が加わることによる、破損等の不都合を生じる虞を減らすことができる。
【００６６】
また、被記録材載置面３３には、被記録材の搬送方向に延びるリブ（図示せず）を設けることができる場合もある。該リブは、例えば、被記録材の幅方向に所定の間隔で配設することにより、被記録材載置面３３上を滑走する被記録材との摩擦を軽減することができるものである。
【００６７】
また、本発明の被記録材トレー９０は、以下の点においても優れている。
従来、被記録材としてボード紙や、ＣＤ−ＲをセットしたＣＤＲトレーなどの剛性の高いもの（剛性記録材Ｇ）を用いた際には、給紙装置２によって給送することが不可能である。そのため、この剛性記録材Ｇをプリンタ前面から記録部へと手差し給送する為の給紙トレーと、記録が行われて排紙される剛性記録材Ｇを受ける為の排紙トレーとを兼用する専用の剛性記録材用給排紙トレーを、記録が行われて排紙される被記録材を受ける為の排紙トレーの上部に取り付ける必要があった。
【００６８】
しかし、本発明の被記録材トレー９０は、給紙装置２によって給送不可能な剛性記録材Ｇを、略水平な被記録材載置面３３上から記録部２６へ真っ直ぐに給送し、且つ、記録部２６から被記録材載置面３３上へ真っ直ぐに排出する直線的な、被記録材の給排紙経路を形成可能な第１ポジションと、給紙装置２によって給送可能な被記録材が排出され、この被記録材をスタックする、前記第１ポジションより低く位置し、被記録材載置面３３が傾斜状態となる第２ポジションとをとり得るため、従来、剛性記録材Ｇに記録を行う際に使用していた剛性記録材用給排紙トレーを必要としない。
【００６９】
すなわち、本発明の被記録材トレー９０は、第１ポジションに位置させることにより、従来剛性記録材Ｇ用給排紙トレーが有していた機能を達成させることができる。また、当該被記録材トレー９０は、第２ポジションに位置させることにより、従来排紙トレーが有していた機能を達成させることができる。つまり、当該被記録材トレー９０は、ポジションを変位させることにより、従来の給紙トレーと排紙トレーとの機能を兼用することが可能である。
【００７０】
そして、従来の剛性記録材用給排紙トレーを取り付ける、手間のかかる作業をなくすることができ、簡易である。また、剛性記録材用給排紙トレーを保存しておく必要もなく、この保存のために要していたスペースが不要となる。さらに、剛性記録材用給排紙トレーを付属品として提供する必要がなくなるため、コストの低減を図ることも可能である。
【００７１】
【発明の効果】
以上説明したように、本発明の記録装置、特に被記録材を掲載する被記録材トレーに特徴を有する記録装置によれば、ユーザーがエッジガイドを操作することにより、被記録材トレーのポジションを変位させることができる。すなわち、エッジガイドの係合部としての係合突起は、第２ポジションにおいてのみ、ハウジング側の被係合部としての突起用穴と係合可能となるように構成されているため、係合突起を突起用穴と係合させることにより、被記録材トレーを第２ポジションに位置させることができる。
【００７２】
そして、突起用穴と係合している係合突起を、エッジガイドをトレー基部の中央側に向けてスライドさせることによって、その係合を解除させると、被記録材トレーとハウジングとの係合は、基部用固定軸と移動用溝との間のみとなる。この状態において、被記録材トレーを移動用溝に沿って移動させることにより、第１ポジションへと移し替えることができる。
すなわち、被記録材トレーがとり得る、第１ポジションおよび第２ポジションとを、エッジガイドを操作することにより、自由に移し替えることが可能である。
【図面の簡単な説明】
【図１】本実施形態のインクジェットプリンタ１００の概略斜視図である。
【図２】同プリンタ１００の側断面図であって、第１の給紙経路▲１▼を使用した状態である。
【図３】同プリンタ１００の側断面図であって、第２の給紙経路▲２▼を使用した状態である。
【図４】被記録材トレーおよびハウジングの斜め上側から視た要部斜視図である。
【図５】図４と異なる斜め上方から視た要部斜視図である。
【図６】下側から視た要部斜視図である。
【図７】図４と同じ斜め上側から視た要部斜視図である。
【図８】図５と同じ上側から視た要部斜視図である。
【図９】ハウジングの要部斜視図である。
【図１０】エッジガイドの拡大斜視図である。
【図１１】被記録材トレーの一部部材を省略した要部斜視図である。
【符号の説明】
２  給紙装置
３  装置本体
６  被記録材排出口、被記録材給排出口
７  第１ポジションにおける基部用固定軸の位置
８  第２ポジションにおける基部用固定軸の位置
１０  キャリッジ
１１  インクカートリッジ
１２  キャリッジガイド軸
１３  記録ヘッド部
１４  給紙ローラ
１５  用紙ガイド
１６  ホッパ
１８  搬送従動ローラホルダ
１８ａ  回転軸
１９  搬送ローラ
１９ａ  搬送駆動ローラ
１９ｂ  搬送従動ローラ
２０  排紙ローラ
２０ａ  排紙駆動ローラ
２０ｂ  排紙従動ローラ
２１  排紙補助ローラホルダ
２２  排紙補助ローラ
２３  排紙従動ローラホルダ
２４  排紙主フレーム
２５  排紙従フレーム
２６  記録部
２７  コイルバネ
２８  プラテン
２９  規制ローラ
３１  トレー基部
３２  基部用固定軸
３３  被記録材載置面
３４  側端ガイド
３５  エッジガイド収納部
４０  エッジガイド
４１  係合突起
４２  角度規制部
５０  ハウジング
５１  移動用溝
５２  突起用穴
５３  当接部
５４  係止部
５５  ガイド板
９０  被記録材トレー
１００  プリンタ
Ｐ  用紙
Ｇ  剛性記録材
【図１】
0003900261.tif 000002
【図２】
0003900261.tif 000003
【図３】
0003900261.tif 000004
【図４】
0003900261.tif 000005
【図５】
0003900261.tif 000006
【図６】
0003900261.tif 000007
【図７】
0003900261.tif 000008
【図８】
0003900261.tif 000009
【図９】
0003900261.tif 000010
【図１０】
0003900261.tif 000011
【図１１】
0003900261.tif 000012